(57)【特許請求の範囲】
【請求項１】
電源線と電気的に接続される接続構造を有し且つ建築構造物に固定された取付部材に取り付けられる照明装置であって、
ライン状又は面状に発光する光源部、及び、当該光源部に固定され且つ前記取付部材に取り付けられる取付部を有する光源ユニットと、
前記光源ユニットの光出射側に配置され、前記光源ユニットに保持されるパネルとを備え、
前記取付部は、前記取付部材の前記接続構造と電気的及び機械的に接続される接続部を有し、
前記光源部は、発光モジュールと、前記発光モジュールを覆う透光カバーとを有し、
前記パネルは、保持部材によって前記光源ユニットに保持されており、
前記保持部材は、一対の連結部材であり、
前記一対の連結部材の一方は、前記パネル及び前記光源ユニットの一端部同士を連結し、
前記一対の連結部材の他方は、前記パネル及び前記光源ユニットの他端部同士を連結し、
前記パネルは、前記保持部材によって当該パネルの前記一端部及び前記他端部の両端部のみで保持されることで前記光源ユニットに吊り下げられている
照明装置。
【請求項２】
電源線と電気的に接続される接続構造を有し且つ建築構造物に固定された取付部材に取り付けられる照明装置であって、
ライン状又は面状に発光する光源部、及び、当該光源部に固定され且つ前記取付部材に取り付けられる取付部を有する光源ユニットと、
前記光源ユニットの光出射側に配置され、前記光源ユニットに保持されるパネルとを備え、
前記取付部は、前記取付部材の前記接続構造と電気的及び機械的に接続される接続部を有し、
前記光源部は、発光モジュールと、前記発光モジュールを覆う透光カバーとを有し、
前記パネルは、保持部材によって前記光源ユニットに保持されており、
前記保持部材は、前記パネルの中央部に設けられており、
前記パネルは、前記保持部材によって当該パネルの中央部のみで保持されることで前記光源ユニットに吊り下げられている
照明装置。
【請求項３】
前記取付部は、前記光源部を発光させるための電力を生成する電源回路を内蔵する電源部であり、
前記接続部は、前記電源回路と電気的に接続される
請求項１又は２に記載の照明装置。
【請求項４】
前記取付部の前記接続部は、導電性材料からなる一対の接続片であり、
前記取付部材の前記接続構造は、前記電源線と電気的に接続された導電性材料からなる一対の接続端子と、前記一対の接続片が挿入される一対の接続孔とを有し、
前記一対の接続片の各々は、前記一対の接続孔の各々に挿入されることで前記一対の接続端子の各々に接触する
請求項１〜３のいずれか１項に記載の照明装置。
【請求項５】
前記一対の接続片の各々は、爪状であって、前記一対の接続孔に挿入されて回転させられることによって、前記一対の接続孔の各々に引っ掛けられるとともに前記一対の接続端子の各々に接触する
請求項４に記載の照明装置。
【請求項６】
さらに、前記取付部材と前記取付部とを固定する固定部材を備え、
前記一対の接続片の各々は、栓刃であり、
前記一対の接続孔の各々は、前記一対の接続片が挿入される挿入孔であり、
前記一対の接続片の各々は、前記一対の接続孔に挿入されることで前記一対の接続端子の各々に接触する
請求項４に記載の照明装置。
【請求項７】
前記取付部は、前記取付部材に対して着脱可能である
請求項１〜６のいずれか１項に記載の照明装置。
【請求項８】
前記パネルは、前記保持部材のみによって前記光源ユニットに保持されている
請求項１〜７のいずれか１項に記載の照明装置。
【請求項９】
前記保持部材は、前記光源ユニット及び前記パネルに対して着脱可能である
請求項１〜８のいずれか１項に記載の照明装置。
【請求項１０】
前記光源部は、ライン光源であり、
前記パネルは、前記ライン光源の長手方向を長手方向とする長尺板状である
請求項１〜９のいずれか１項に記載の照明装置。
【請求項１１】
前記パネルの幅は、前記ライン光源の幅よりも大きい
請求項１０に記載の照明装置。
【請求項１２】
前記パネルは、前記光源ユニットからの光を拡散する作用を有する
請求項１〜１１のいずれか１項に記載の照明装置。
【請求項１３】
前記パネルは、前記光源ユニットからの光を集束する作用を有する
請求項１〜１１のいずれか１項に記載の照明装置。
【請求項１４】
前記取付部材を有する
請求項１〜１３のいずれか１項に記載の照明装置。
【請求項１５】
前記パネルは、前記パネルと前記光源ユニットとの間に外気が通過できる空気層が存在するように前記光源ユニットに保持されている
請求項１〜１４のいずれか１項に記載の照明装置。
【発明の詳細な説明】
【技術分野】
【０００１】
本発明は、照明装置に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、高効率及び長寿命であることから、様々な製品の新しい光源として期待されている。例えば、ＬＥＤを光源とするＬＥＤランプが実用化されている。
【０００３】
ＬＥＤランプの一つとして、例えば、従来の直管形蛍光ランプの代替品である直管形のＬＥＤランプ（直管ＬＥＤランプ）が知られている（特許文献１参照）。直管ＬＥＤランプは、例えば、長尺状の外郭筐体（直管）と、外郭筐体の両端部に設けられた口金と、外郭筐体内に配置されたＬＥＤモジュールとを有する。
【先行技術文献】
【特許文献】
【０００４】
【特許文献１】特開２００９−０４３４４７号公報
【発明の概要】
【発明が解決しようとする課題】
【０００５】
直管ＬＥＤランプを設置する場合、例えば、直管形蛍光ランプが取り付けられる既存の照明器具を利用する方法がある。一例として、Ｇ１３口金及び電源回路を内蔵する直管ＬＥＤランプを、Ｇ１３口金に対応するソケットを有する既存の照明器具（蛍光灯器具）に取り付ける方法がある。この場合、照明器具の点灯方式によっては、直管ＬＥＤランプの給電方法を両口給電方式にしたりグローショートさせる片口給電方式にしたり、また、安定器及びソケットを取り外して専用のソケットを取り付ける等の照明器具の工事を行ったりする場合がある。
【０００６】
このため、直管ＬＥＤランプを導入する際のコストは、既存の照明器具を用いた場合であっても比較的に高くなってしまう。さらに、照明器具の点灯方式毎にランプの交換方法を対応させるのは手間である。 
【０００７】
また、ＬＥＤは、それ自体長寿命であるので照明器具の寿命と同等である。このため、直管ＬＥＤランプ内のＬＥＤのみを交換する需要は少ないと考えられる。 
【０００８】
本発明は、このような課題を解決するためになされたものであり、省部材で安価、かつ、蛍光ランプの交換レベルと同等の器具交換が可能な照明装置を提供することを目的とする。
【課題を解決するための手段】
【０００９】
上記目的を達成するために、本発明に係る照明装置の一態様は、電源線と電気的に接続される接続構造を有し且つ建築構造物に固定された取付部材に取り付けられる照明装置であって、ライン状又は面状に発光する光源部、及び、当該光源部に固定され且つ前記取付部材に取り付けられる取付部を有する光源ユニットと、前記光源ユニットの光出射側に配置され、前記光源ユニットに保持されるパネルとを備え、前記取付部は、前記取付部材の前記接続構造と電気的及び機械的に接続される接続部を有することを特徴とする。
【発明の効果】
【００１０】
省部材で安価、かつ、蛍光ランプの交換レベルと同等の器具交換を行うことができる照明装置を実現することができる。
【図面の簡単な説明】
【００１１】
【図１Ａ】天井に設置されるときの実施の形態１に係る照明装置の斜視図である（上方から見た場合）。
【図１Ｂ】天井に設置されるときの実施の形態１に係る照明装置の斜視図である（下方から見た場合）。
【図２】実施の形態１に係る照明装置の分解斜視図である（上方から見た場合）。
【図３】実施の形態１に係る照明装置の分解斜視図である（下方から見た場合）。
【図４Ａ】実施の形態１に係る照明装置における取付部材と光源ユニットとの接続部分の構成を示す拡大斜視図である（上方から見た場合）。
【図４Ｂ】実施の形態１に係る照明装置における取付部材と光源ユニットとの接続部分の構成を示す拡大斜視図である（下方から見た場合）。
【図５】実施の形態１に係る照明装置における取付部材と光源ユニットとの接続部分の構成を示す拡大断面図である。
【図６】実施の形態１に係る照明装置の端部周辺の構成を示す拡大図である。
【図７】実施の形態１に係る照明装置の側断面図である。
【図８】実施の形態１に係る照明装置におけるパネルの変形例１の構成を示す図である。
【図９】実施の形態１に係る照明装置におけるパネルの変形例２の構成を示す図である。
【図１０Ａ】実施の形態２に係る照明装置の部分拡大図である（取付部を取付部材に固定した後）。
【図１０Ｂ】実施の形態２に係る照明装置の部分拡大図である（取付部を取付部材に固定する前）。
【図１０Ｃ】実施の形態２に係る照明装置の部分拡大図である（取付部を取付部材に固定する前）。
【図１１】実施の形態３に係る照明装置の斜視図である。
【図１２】実施の形態３に係る照明装置の分解斜視図である。
【図１３】実施の形態３に係る照明装置を天井に設置したときの状態を示す斜視図である。
【図１４】実施の形態３に係る照明装置を天井に設置したときの状態を示す側断面図である。
【発明を実施するための形態】
【００１２】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、工程及び工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。なお、各図において、実質的に同一の構成に対しては同一の符号を付しており、重複する説明は省略又は簡略化する。
【００１４】
（実施の形態１）
まず、実施の形態１に係る照明装置１の全体構成について、図１Ａ、図１Ｂ、図２及び図３を用いて説明する。図１Ａ及び図１Ｂは、天井３に設置されるときの実施の形態１に係る照明装置１の斜視図であって、図１Ａは同照明装置１を上方から見たときの斜視図、図１Ｂは同照明装置１を下方から見たときの斜視図である。また、図２及び図３は、実施の形態１に係る照明装置１の分解斜視図であって、図２は同照明装置１を上方から見たときの分解斜視図、図３は同照明装置１を下方から見たときの分解斜視図である。
【００１５】
照明装置１は、例えばベースライトとなるアンビエント照明であり、図１Ａ〜図３に示すように、天井３に固定された取付部材２に取り付けられて使用される。なお、天井３は建築構造物の一例である。したがって、取付部材２は、天井以外の建築構造物に固定されていてもよい。また、取付部材２は、例えば、天井や壁面等の建物に直接固定されていてもよいし、建物に別途設置された配線ダクトやライティングダクトに固定されていてもよい。以下、本実施の形態では、取付部材２が天井３に固定される場合について説明する。
【００１６】
図２及び図３に示すように、取付部材２は、略直方体の筐体と、筐体の一部から突出するように設けられた突出部とを有する。突出部は、例えば天井３に向かって突出するように設けられている。取付部材２は、この突出部を天井３に設けられた貫通孔３ａに挿入することによって、天井３の所定の位置に配置される。取付部材２の突出部は、天井３の貫通孔３ａに嵌め込まれる。例えば、取付部材２には２つのネジ孔が設けられており、取付部材２は、２本のネジ（不図示）によって天井３に固定される。
【００１７】
天井３に固定された取付部材２は、電源線（電源電線）４と電気的に接続される接続構造を有する。後述するように、取付部材２の接続構造には、天井３から導出された電源線４と接続される一対の接続端子が含まれている。
【００１８】
図１Ａ及び図１Ｂに示すように、電源線４は、例えば天井３の天井裏から引き回されており、取付部材２の突出部に設けられた挿通孔に挿通されることで取付部材２の筐体内部に設けられた一対の接続端子に接続される。電源線４は、例えば商用電源に接続されており、電源線４を介して商用電源からの交流電力が取付部材２に供給される。つまり、電源線４の一方端は、商用電源と電気的に接続されており、電源線４の他方端は、取付部材２の一対の接続端子に接続されている。
【００１９】
図１Ａ〜図３に示すように、照明装置１は、天井３等の建築構造物に設置される照明器具の一例であって、光源ユニット１００と、パネル２００と、保持部材３００とを備える。
【００２０】
以下、照明装置１の各構成部材について、図１Ａ〜図３を参照しながら、図４Ａ、図４Ｂ、図５、図６及び図７を用いて詳細に説明する。図４Ａ、図４Ｂ及び図５は、実施の形態１に係る照明装置１における取付部材２と光源ユニット１００との接続部分の構成を示す拡大図であって、図４Ａは同照明装置１を上方から見たときの拡大斜視図、図４Ｂは同照明装置１を下方から見たときの拡大斜視図、図５は同照明装置１の拡大断面図である。図６は、実施の形態１に係る照明装置１の端部周辺の構成を示す拡大図である。図７は、実施の形態１に係る照明装置１の側断面図である。なお、図４Ａ、図４Ｂ及び図５において、天井３は省略している。
【００２１】
［光源ユニット］
図４Ａ〜図７に示すように、光源ユニット１００は、光源部１０と、光源部１０に固定された取付部２０とを有する。本実施の形態において、取付部２０は、光源部１０を発光させるための電力を生成する電源回路を内蔵する電源部である。したがって、光源部１０は、取付部２０から供給される電力によって発光する。
【００２２】
光源ユニット１００は、光源部１０と取付部２０とが一体となって取付部材２に取り付けられる。照明装置１は、光源ユニット１００が取付部材２に取り付けられることによって、取付部材２に固定される。
【００２３】
光源部１０は、ライン状又は面状に発光する発光部である。本実施の形態において、光源部１０は、ライン状に発光するライン光源である。光源部１０は、ＬＥＤモジュール１１と、ＬＥＤモジュール１１が載置される基台１２と、ＬＥＤモジュール１１を覆うカバー１３とを有する。
【００２４】
ＬＥＤモジュール１１は、白色等の所定の色（波長）の光を放出する発光モジュールであって、発光素子の一例であるＬＥＤ光源１１ａと、ＬＥＤ光源１１ａが配置される基板１１ｂとを有する。
【００２５】
ＬＥＤ光源１１ａは、例えば、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。ＬＥＤ光源１１ａが白色光を放出する白色ＬＥＤ光源である場合、例えば、ＬＥＤチップとしては、通電されると青色光を発する青色ＬＥＤチップが用いられ、容器に充填される封止部材としては、黄色蛍光体が含有されたシリコーン樹脂（蛍光体含有樹脂）が用いられる。
【００２６】
基板１１ｂは、長尺状の基板であり、例えば配線がパターン形成された配線基板である。基板１１ｂには、ＬＥＤ光源１１ａが実装される。本実施の形態では、複数のＬＥＤ光源１１ａが基板１１ｂの長手方向に沿って直線状に一列で実装されている。
【００２７】
基板１１ｂとしては、例えば、セラミック基板、樹脂基板又はメタルベース基板等を用いることができる。なお、基板１１ｂは、リジッド基板に限らず、可撓性を有するフレキシブル基板であってもよい。
【００２８】
ＬＥＤモジュール１１は、基台１２に固定される。例えば、ＬＥＤモジュール１１は、基板１１ｂと基台１２とがネジ１４によってネジ止めされることで、基台１２に固定される。
【００２９】
基台１２は、ＬＥＤモジュール１１を支持するための長尺状の支持基台である。ＬＥＤモジュール１１は、基台１２の内面に載置されて基台１２に固定される。基台１２には、１つのＬＥＤモジュール１１が載置されていてもよいし、複数のＬＥＤモジュール１１が載置されていてもよい。
【００３０】
また、基台１２は、ＬＥＤモジュール１１で発生する熱を放熱させるためのヒートシンク（放熱体）でもある。したがって、基台１２は、金属材料等の熱伝導率が高い材料によって構成するとよい。例えば、基台１２は、例えば断面がコ字形状のアルミニウムからなる長尺状の金属フレーム（金属基台）である。
【００３１】
カバー１３は、ＬＥＤモジュール１１を保護するための保護部材である。また、カバー１３は、透光性を有する透光カバーであり、ＬＥＤモジュール１１からの光を透過する。カバー１３は、例えば長尺矩形状の透明板であり、例えば基台１２とほぼ同じ長さである。カバー１３は、透光性材料を用いて形成することができ、例えば、アクリルやポリカーボネート等の透光性樹脂材料又はガラス材料を用いて形成することができる。
【００３２】
なお、複数のＬＥＤ光源１１ａによる光のつぶつぶ感を抑制するために、カバー１３に光拡散機能を持たせてもよい。例えば、カバー１３の表面に乳白色の光拡散膜を形成したり、カバー１３内にシリカや炭酸カルシウム等の光拡散材（微粒子）を含有させたりすることによって、カバー１３に光拡散機能を持たせることができる。
【００３３】
取付部（電源部）２０は、例えば、電源ボックスである絶縁樹脂製のケース（筐体）と、当該ケース内に配置された電源回路とを有する。電源回路は、回路基板と、当該回路基板に実装された回路部品とからなる回路ユニットであり、ＬＥＤモジュール１１（ＬＥＤ光源１１ａ）を点灯（発光）させるための電力をＬＥＤモジュール１１に供給する。例えば、電源回路は、電源線４から取付部材２を介して供給される交流電力を直流電力に変換し、リード線等を介して当該直流電力をＬＥＤモジュール１１に供給する。ＬＥＤモジュール１１（ＬＥＤ光源１１ａ）は、電源回路から供給される直流電力によって発光する。
【００３４】
取付部２０は、光源部１０の長手方向の中央部に固定されている。具体的には、取付部２０は、基台１２の外面（裏面）の中央部に固定されている。
【００３５】
また、取付部２０は、取付部材２に対して着脱可能となっている。つまり、光源ユニット１００は、取付部材２に対して着脱可能に取り付けられている。光源ユニット１００が取付部材２に取り付けられることによって、取付部２０は取付部材２を介して電源線４からの交流電力を受ける状態（通電状態）となる。
【００３６】
図５に示すように、本実施の形態において、取付部２０は、光源ユニット１００が取付部材２に取り付けられた状態において、取付部材２と光源部１０との間に位置する。平面視した場合に、取付部２０及び取付部材２の大きさは光源部１０よりも小さく、取付部２０及び取付部材２は、光源部１０に隠れる大きさとなっている。なお、平面視した場合に、取付部２０の外形と取付部材２の外形とはほぼ同じである。
【００３７】
図４Ａ及び図４Ｂに示すように、取付部２０は、取付部材２の接続構造と電気的及び機械的に接続される接続部として、金属等の導電性材料からなる一対の接続片２０ａを有する。一対の接続片２０ａによって、取付部材２に対しての電気的な接続と機械的な接続（機械保持）とを実現している。
【００３８】
また、図４Ｂに示すように、取付部材２は、電源線４と電気的に接続される接続構造として、電源線４と電気的に接続された一対の接続端子（不図示）と、取付部２０の一対の接続片２０ａが挿入される一対の接続孔２ａとを有する。取付部材２の一対の接続端子は、金属等の導電性材料からなる。また、この一対の接続端子の各々は、一対の接続孔２ａの各々に対応して形成されており、例えば各接続端子は各接続孔２ａの近傍に設けられている。
【００３９】
取付部２０の一対の接続片２０ａの各々は、取付部材２の一対の接続孔２ａの各々に挿入されることで取付部材２の一対の接続端子の各々に接触する。これにより、取付部２０の一対の接続片２０ａの各々と取付部材２の一対の接続端子の各々とが電気的及び機械的に接続される。
【００４０】
取付部２０の一対の接続片２０ａは、取付部２０に内蔵された電源回路と電気的に接続される。したがって、取付部材２の一対の接続端子と取付部２０の一対の接続片２０ａとが接続されることによって、電源線４からの交流電力が取付部２０の電源回路に供給される。
【００４１】
本実施の形態において、一対の接続片２０ａの各々は、取付部２０からの露出部分がＬ字状に折れ曲がった金属板で構成された接続爪（掛止爪）である。この一対の接続片２０ａの各々が取付部材２の一対の接続孔２ａに挿入されて回転させられることによって、一対の接続片２０ａの各々は、一対の接続孔２ａの各々に引っ掛けられるように係止されるとともに一対の接続端子の各々に接触する。
【００４２】
接続片２０ａが接続孔２ａに係止されることによって、光源ユニット１００が取付部材２に固定される。また、光源ユニット１００を逆回転させて接続片２０ａを接続孔２ａから外すことによって、光源ユニット１００を取付部材２から外すことができる。
【００４３】
このように、本実施の形態では、光源ユニット１００を取付部材２に対して回転させることによって、各接続片２０ａの各接続孔２ａとの着脱をワンタッチで行うことができる。
【００４４】
［パネル］
パネル２００は、光学部材（光学パネル）の一例であって、本実施の形態では、透光性を有する透光パネルである。
【００４５】
パネル２００は、ライン光源である光源部１０の長手方向を長手方向とする長尺状かつ板状である。パネル２００は、例えば平面視形状が矩形状の長尺状の板状部材である。パネル２００は、例えば、アクリルやポリカーボネート等の透光性樹脂材料又はガラス材料を用いて形成されている。
【００４６】
図５及び図７に示すように、パネル２００は、光源ユニット１００の光出射側に配置される。本実施の形態において、パネル２００は、光源ユニット１００と所定の間隔をあけて配置されている。具体的には、パネル２００と光源ユニット１００（光源部１０）との間には空気層が設けられている。外気は、パネル２００の表面に沿ってこの空気層を通過することができる。
【００４７】
この構成によって、光源ユニット１００（光源部１０）が直接外気に曝されることになる。具体的には、光源部１０の基台１２の外面（裏面）が外部に露出しており、基台１２の外面が外気に直接曝される。これにより、ＬＥＤモジュール１１から基台１２に伝導した熱を効率良く外気に放熱させることができるので、光源部１０の熱が効率よく放熱する。したがって、熱による光源部１０の光取り出し効率の低下を抑制できる。
【００４８】
また、図１Ａ及び図１Ｂに示すように、パネル２００は、中空に浮いているような状態で配置されている。具体的には、パネル２００は、図６に示すように、保持部材３００によって光源ユニット１００に保持されている。本実施の形態において、パネル２００は、光源ユニット１００に吊り下げられる形で保持部材３００のみによって保持されている。
【００４９】
パネル２００のサイズは、光源ユニット１００のサイズよりも大きい。具体的には、図７に示すように、パネル２００の幅は、ライン光源である光源部１０の幅よりも大きくなっており、光源ユニット１００はパネル２００と重なる位置に配置される。
【００５０】
また、図７に示すように、本実施の形態において、パネル２００の幅は、照明装置１の側断面視において光源部１０を原点としたときに当該原点とパネル２００の幅方向の両端部の各々とを結ぶ直線同士のなす角θ（光の広がり角）が約１２０°となるように設定されている。なお、パネル２００の長手方向の長さは、光源部１０の長手方向の長さとほぼ同じである。
【００５１】
パネル２００は、光源ユニット１００からの光を拡散する作用を有していてもよい。この場合、透光パネル２００の表面に乳白色の光拡散膜を形成したり、パネル２００内にシリカや炭酸カルシウム等の光拡散材（微粒子）を含有させたりすることによって、パネル２００に光拡散機能を持たせることができる。また、透明パネルであるパネル２００の表面に長手方向に延びる筋状の凹部や凸部を形成したりドットパターンを印刷したりすることによって光拡散機能を持たせてもよい。パネル２００が光拡散機能を有することによって、光源ユニット１００からの光を拡散させることができる。本実施の形態におけるパネル２００は、このような光拡散機能を有する透光性の拡散パネルである。これにより、光源ユニット１００からの光がパネル２００に入射することでパネル２００を擬似発光させることができる。
【００５２】
なお、パネル２００は、図８に示すように、光源ユニット１００からの光の配光角を広げるような透光性を有する広配光パネルであってもよい。また、パネル２００は、光源ユニット１００からの光を集束する作用を有していてもよい。この場合、図９に示すように、フレネルレンズが形成されたパネル２００を用いてもよい。また、パネル２００は、金属板等で構成された、透光性をほぼ有さない反射性を有する反射パネルであってもよい。反射パネルを用いることで、光源ユニット１００からの光を天井３に向けて反射させることができるので、主として天井面を照らす照明装置を実現できる。その他に、パネル２００としては、光源ユニット１００からの光を特定の領域に収束させる集光レンズが形成されたものや、その他の光学作用を有するものであってもよい。
【００５３】
［保持部材］
保持部材３００は、パネル２００を保持している。本実施の形態において、保持部材３００は、例えば樹脂材料によって構成された一対の連結部材であり、パネル２００及び光源ユニット１００の長手方向の両端部に配置されている。一対の保持部材３００（連結部材）の一方は、パネル２００及び光源ユニット１００の一端部同士を連結しており、また、一対の保持部材３００（連結部材）の他方は、パネル２００及び光源ユニット１００の他端部同士を連結している。これにより、図１Ａ及び図１Ｂに示すように、パネル２００は、光源ユニット１００の長手方向の両端部に引っ掛けられるようにして保持される。
【００５４】
図６及び図７に示すように、各保持部材３００は、光源ユニット１００の光源部１０の長手方向の端部が差し込まれる差し込み部３０１と、パネル２００の長手方向の端部が挟み込まれる挟み込み部３０２とを有する。
【００５５】
差し込み部３０１には、光源部１０の端部が嵌め込まれるように差し込まれる。また、挟み込み部３０２は一対の板状部からなり、一対の板状部からなる挟み込み部３０２には、パネル２００の端部が挟持されるように挟み込まれる。パネル２００の端部が挟み込み部３０２に挟み込まれることで、パネル２００が保持部材３００に固定される。
【００５６】
また、保持部材３００は、光源ユニット１００及びパネル２００に対して着脱可能となっている。具体的には、光源部１０及びパネル２００は、摩擦力によって保持部材３００に保持されている。
【００５７】
［設置方法］
次に、照明装置１の設置方法の一例について説明する。
【００５８】
まず、図１Ｂに示すように、ネジ等によって取付部材２を天井３に予め固定しておく。
【００５９】
次に、光源ユニット１００を取付部材２に取り付ける。具体的には、図４Ａ及び図４Ｂに示すように、取付部２０の一対の接続片２０ａを取付部材２の一対の接続孔２ａのＬ字孔部分に挿入するように、光源ユニット１００を取付部材２に押し当てるように設置する。その後、接続片２０ａが接続孔２ａに沿って移動するように光源ユニット１００を回転させる。
【００６０】
このように、光源ユニット１００を回転させることによって、光源ユニット１００と取付部材２とが電気的及び物理的に接続される。つまり、取付部２０の接続片２０ａが接続孔２ａに係止されるとともに取付部材２の一対の接続端子に接触する。これにより、接続片２０ａは、取付部材２の一対の接続端子を介して電源線４からの交流電力を受ける状態（通電状態）となる。
【００６１】
次に、保持部材３００を用いてパネル２００を光源ユニット１００に取り付ける。例えば、図６に示すように、光源部１０の長手方向の両端部に一対の保持部材３００の差し込み部３０１の各々を差し込むとともに、パネル２００の長手方向の両端部を一対の保持部材３００の挟み込み部３０２で挟み込む。
【００６２】
これにより、照明装置１を天井３に設置することができる。なお、本実施の形態では、光源ユニット１００を取付部材２に取り付けた後でパネル２００を光源ユニット１００に取り付けたが、これに限らない。例えば、光源ユニット１００にパネル２００を取り付けて照明装置１を組み立てた後に、照明装置１を取付部材２に取り付けてもよい。
【００６３】
［まとめ］
以上、本実施の形態における照明装置１によれば、天井３に固定された取付部材２に光源ユニット１００が取り付けられ、光源ユニット１００の取付部２０は、取付部材２の接続構造と電気的及び機械的に接続される接続片２０ａ（接続部）を有する。
【００６４】
これにより、光源部１０と取付部２０とで構成される省部材の光源ユニット１００を、ワンタッチによる取り付け動作によって、取付部材２と電気的及び機械的に接続することが可能となる。したがって、省部材で安価、かつ、蛍光ランプの交換レベルと同等の器具交換が可能な照明装置を実現することができる。
【００６５】
また、本実施の形態において、取付部２０は、光源部１０を発光させるための電力を生成する電源回路を内蔵する電源部であり、取付部２０の接続片２０ａは、電源回路と電気的に接続される。
【００６６】
これにより、取付部２０と取付部材２とが電気的及び機械的に接続されることによって、接続片２０ａを介して電源線４と取付部２０に内蔵された電源回路とが電気的に接続される。
【００６７】
また、本実施の形態において、取付部２０の一対の接続片２０ａの各々は、取付部材２の一対の接続孔２ａの各々に挿入されることで、電源線４と接続された取付部材２の一対の接続端子の各々に接触する。
【００６８】
これにより、ワンタッチによる取り付け動作によって光源ユニット１００と取付部材２とが電気的及び機械的に接続される。
【００６９】
また、本実施の形態において、取付部２０の一対の接続片２０ａの各々は、取付部材２の一対の接続孔２ａに挿入されて回転させられることによって、一対の接続孔２ａの各々に引っ掛けられるとともに取付部材２の一対の接続端子の各々に接触する。
【００７０】
これにより、引っ掛けシーリングローゼットのように、光源ユニット１００を回転させるだけで、光源ユニット１００と取付部材２とを電気的及び機械的に接続することができる。つまり、回転動作によるワンタッチによって、光源ユニット１００と取付部材２との電気的接続及び機械的接続を簡単に実現できる。
【００７１】
また、本実施の形態において、取付部２０は、取付部材２に対して着脱可能である。
【００７２】
これにより、光源ユニット１００を簡単に取付部材２に取り付けることができるだけではなく、光源ユニット１００を簡単に取付部材２から取り外すことができる。
【００７３】
また、本実施の形態において、パネル２００は、保持部材３００によって光源ユニット１００に保持されている。
【００７４】
これにより、パネル２００を容易に光源ユニット１００に取り付けることができる。
【００７５】
また、本実施の形態において、パネル２００は、保持部材３００によって光源ユニット１００に吊り下げられて保持されている。
【００７６】
これにより、パネル２００を中空に浮いているような状態で保持することができる。したがって、光源ユニット１００全体の周囲を外気に曝すことができるので放熱性に優れた照明装置を実現できるとともに、意匠性に優れた照明装置を実現できる。
【００７７】
また、本実施の形態において、パネル２００は、保持部材３００のみによって光源ユニット１００に保持されている。
【００７８】
これにより、パネル２００を容易に中空に保持した状態にすることができる。
【００７９】
また、本実施の形態において、保持部材３００は、光源ユニット１００及びパネル２００に対して着脱可能である。
【００８０】
これにより、パネル２００を容易に取り替えることができるので、照明シーンに応じて光学作用の異なるパネルを選択して光源ユニット１００に取り付けることができる。
【００８１】
また、本実施の形態において、保持部材３００は、一対の連結部材であり、一対の連結部材の一方は、パネル２００及び光源ユニット１００の一端部同士を連結し、一対の連結部材の他方は、パネル２００及び光源ユニット１００の他端部同士を連結している。
【００８２】
これにより、パネル２００は、光源ユニット１００の長手方向の両端部を利用して保持することができる。具体的には、パネル２００は、光源ユニット１００の光源部１０の両端部に取り付けられた一対の保持部材３００によって保持されている。
【００８３】
また、本実施の形態において、光源部１０は、ライン状（バー状）の光を発するライン光源であり、パネル２００は、当該ライン光源の長手方向を長手方向とする長尺板状である。
【００８４】
これにより、直管形蛍光ランプの代替品となる長尺状の照明装置を実現することができる。また、光源部１０が面光源等であって平面視形状の面積が大きいと、光源部１０（光源ユニット１００）を取付部材２に取り付ける際に、取付部材２が光源部１０に隠れてしまって取付部２０と取付部材２との接続部分が分かりにくくなり、光源部１０を取付部材２に取り付けにくくなってしまうが、光源部１０をライン光源とすることによって、光源部１０を取付部材２に容易に取り付けることができる。
【００８５】
また、本実施の形態において、パネル２００の幅は、ライン光源である光源部１０の幅よりも大きい。
【００８６】
これにより、光源部１０からの光の多くをパネル２００に入射させることができる。
【００８７】
（実施の形態２）
次に、実施の形態２に係る照明装置１Ａについて、図１０Ａ、図１０Ｂ及び図１０Ｃを用いて説明する。図１０Ａ〜図１０Ｃは、実施の形態２に係る照明装置１Ａの部分拡大図である。
【００８８】
なお、図１０Ａは、取付部２０Ａを取付部材２に固定したときの状態を示しており、図１０Ｂ及び図１０Ｃは、取付部２０Ａを取付部材２に固定する前の状態を示している。また、図１０Ａ〜図１０Ｃにおいて、天井３は省略している。
【００８９】
照明装置１Ａは、光源部１０と取付部２０Ａとで構成される光源ユニット１００Ａと、パネル２００（不図示）と、保持部材３００（不図示）とを有し、天井等に取り付けられた取付部材２に設置される。
【００９０】
本実施の形態でも、取付部材２Ａは、電源線４と電気的に接続される接続構造として、電源線４と電気的に接続された一対の接続端子（不図示）と、取付部２０Ａの一対の接続片２０ａＡが挿入される一対の接続孔２ａＡとを有する。
【００９１】
上記実施の形態１では、取付部２０における一対の接続片２０ａの各々は爪状に形成されていたが、本実施の形態では、取付部２０Ａにおける一対の接続片２０ａＡは栓刃である。
【００９２】
また、本実施の形態では、取付部材２Ａにおける一対の接続孔２ａＡの各々は、一対の接続片２０ａＡが挿入される挿入孔である。上記実施の形態１における接続孔２ａの開口形状は、挿入される接続片２０ａをスライドできるような形状であったが、本実施の形態における接続孔２ａＡ（挿入孔）の開口形状は、栓刃である一対の接続片２０ａＡを差し込み挿入できるような形状となっている。具体的には、接続孔２ａＡは、栓刃嵌合孔となっており、接続孔２ａＡの開口幅と接続片２０ａＡの栓刃幅とはほぼ同じである。
【００９３】
そして、照明装置１Ａにおいて、取付部材２Ａにおける一対の接続片２０ａＡの各々は、一対の接続孔２ａＡに挿入されることによって、取付部材２Ａの一対の接続端子（不図示）の各々に接触する。
【００９４】
さらに、本実施の形態では、取付部材２Ａと取付部２０Ａとを固定する固定部材４００を備えている。固定部材４００は、例えば金属製の板バネであり、取付部２０Ａの両側面に形成された引っ掛け溝に係止する一対の屈曲部を有する。固定部材４００は、重ね合わせた取付部材２Ａ及び取付部２０Ａに対して、取付部材２Ａを覆うとともに、屈曲部が取付部材２Ａを越えて取付部２０Ａの引っ掛け溝２１に係止するように取り付けられる。
【００９５】
ここで、本実施の形態における照明装置１Ａの設置方法の一例について説明する。
【００９６】
まず、図示しないが、本実施の形態でも、実施の形態１と同様に、ネジ等によって取付部材２を天井３に予め固定しておく。
【００９７】
次に、図１０Ｂ及び図１０Ｃに示すように、取付部材２Ａに固定部材４００を取り付けた状態で、取付部２０Ａの一対の接続片２０ａＡを取付部材２Ａの一対の接続孔２ａＡに差し込み挿入する。このとき、固定部材４００の屈曲部が取付部２０Ａの引っ掛け溝２１に係止するまで光源ユニット１００Ａを取付部材２Ａに押し当てる。
【００９８】
これにより、光源ユニット１００Ａと取付部材２Ａとが電気的及び物理的に接続される。つまり、取付部２０Ａの接続片２０ａＡが取付部材２の一対の接続端子に接触して、接続片２０ａＡが電源線４からの交流電力を受ける状態（通電状態）になるとともに、光源ユニット１００Ａが取付部材２に固定される。
【００９９】
次に、図示しないが、実施の形態１と同様に、保持部材３００を用いてパネル２００を光源ユニット１００Ａに取り付ける。
【０１００】
これにより、照明装置１Ａを天井３に設置することができる。
【０１０１】
以上、本実施の形態における照明装置１Ａによれば、実施の形態１と同様に、天井３に固定された取付部材２Ａに光源ユニット１００Ａが取り付けられ、光源ユニット１００Ａの取付部２０Ａは、取付部材２Ａの接続構造と電気的及び機械的に接続される接続片２０ａＡ（接続部）を有する。
【０１０２】
これにより、光源部１０と取付部２０Ａとで構成される省部材の光源ユニット１００Ａを、ワンタッチによる取り付け動作によって、取付部材２Ａと電気的及び機械的に接続することが可能となる。したがって、省部材で安価、かつ、蛍光ランプの交換レベルと同等の器具交換が可能な照明装置を実現することができる。
【０１０３】
また、本実施の形態では、さらに、取付部材２Ａと取付部２０Ａとを固定する固定部材４００を備え、一対の接続片２０ａＡの各々は栓刃であり、一対の接続孔２ａＡの各々は一対の接続片２０ａＡが挿入される挿入孔であり、一対の接続片２０ａＡの各々は一対の接続孔２ａＡに挿入されることで取付部材２Ａの一対の接続端子の各々に接触する。
【０１０４】
これにより、差し込み動作によるワンタッチによって光源ユニット１００Ａと取付部材２Ａとが電気的及び機械的に接続される。
【０１０５】
（実施の形態３）
次に、実施の形態３に係る照明装置１Ｂについて、図１１、図１２、図１３及び図１４を用いて説明する。図１１は、実施の形態３に係る照明装置１Ｂの斜視図である。図１２は、実施の形態３に係る照明装置１Ｂの分解斜視図である。図１３及び図１４は、実施の形態３に係る照明装置１Ｂを天井に設置したときの状態を示す図であって、図１３は斜視図、図１４は側断面図である。なお、図１３において、天井３は省略している。
【０１０６】
本実施の形態における照明装置１Ｂでは、実施の形態１、２と同様に、保持部材によってパネル２００を保持しているが、実施の形態１、２では、保持部材３００が光源ユニット１００及びパネル２００の両端部に配置されていたのに対して、本実施の形態では、保持部材２０１及び２０２は、パネル２００Ｂの中央部に設けられている。
【０１０７】
具体的には、図１１〜図１４に示すように、保持部材２０１及び２０２の先端には、取付部２０の両側面に形成された引っ掛け溝２１に係止される爪状の取付爪が設けられている。
【０１０８】
これにより、実施の形態１のような保持部材３００を用いることなく、パネル２００Ｂを光源ユニット１００に保持することができる。具体的には、パネル２００Ｂは、光源ユニット１００に吊り下げられる形で保持される。また、パネル２００Ｂは、保持部材２０１及び２０２のみによって光源ユニット１００の長手方向の中央部に引っ掛けられるようにして保持されている。
【０１０９】
保持部材２０１及び２０２は、パネル２００Ｂの一部であって、パネル２００Ｂとの一体成型によって形成することができる。
【０１１０】
なお、パネル２００Ｂの材料や保持部材２０１及び２０２以外の形状は、実施の形態１におけるパネル２００と同様である。また、本実施の形態における照明装置１Ｂは、実施の形態１と同様に、光源ユニット１００の回転動作によるワンタッチによって、光源ユニット１００と取付部材２とを電気的及び機械的に接続することができる。
【０１１１】
以上、本実施の形態における照明装置１Ｂによれば、実施の形態１と同様に、天井３に固定された取付部材２に光源ユニット１００が取り付けられ、光源ユニット１００の取付部２０は、取付部材２の接続構造と電気的及び機械的に接続される接続片２０ａ（接続部）を有する。
【０１１２】
これにより、光源部１０と取付部２０とで構成される省部材の光源ユニット１００を、ワンタッチによる取り付け動作によって、取付部材２と電気的及び機械的に接続することが可能となる。したがって、省部材で安価、かつ、蛍光ランプの交換レベルと同等の器具交換が可能な照明装置を実現することができる。
【０１１３】
また、本実施の形態において、保持部材２０１及び２０２は、パネル２００Ｂの中央部に設けられている。
【０１１４】
これにより、パネル２００Ｂは、光源ユニット１００の長手方向の両端部を利用して保持することができる。具体的には、パネル２００Ｂは、光源ユニット１００の取付部２０の引っ掛け溝２１に保持部材２０１及び２０２を係止することによって光源ユニット１００に保持されている。
【０１１５】
なお、本実施の形態では、実施の形態１と同様に、光源ユニット１００の回転によるワンタッチによって、取付部２０と取付部材２の接続構造とを電気的及び機械的に接続する構成としたが、本実施の形態は、実施の形態２にも適用できる。つまり、取付部材２Ａ及び取付部２０Ａを用いて、差し込み動作によるワンタッチによって光源ユニット１００の取付部２０Ａと取付部材２Ａの接続構造とを電気的及び機械的に接続してもよい。
【０１１６】
（変形例）
以上、本発明に係る照明装置について、実施の形態に基づいて説明したが、本発明は、上記の実施の形態に限定されるものではない。
【０１１７】
例えば、上記実施の形態では、光源ユニットとパネルと保持部材とによって照明装置が構成されていたが、これに限るものではなく、光源ユニットのみによって照明装置が構成されていてもよい。また、光源ユニットとパネルと保持部材とに加えて、取付部材を含めて照明装置が構成されていてもよい。
【０１１８】
また、上記実施の形態において、電源回路は取付部２０に内蔵したが、これに限らない。例えば、電源回路は取付部材２に内蔵されていてもよい。
【０１１９】
また、上記実施の形態では、ＬＥＤ光源１１ａとしてＳＭＤタイプのＬＥＤ素子を用いたがＳＭＤ構造のＬＥＤモジュール１１を用いたが、ＬＥＤ光源１１ａそのものがＬＥＤチップ（ベアチップ）であるＬＥＤ素子であってもよい。この場合、ＬＥＤモジュール１１は、ＬＥＤチップ（ＬＥＤ光源１１ａ）が基板１１ｂに直接実装されたＣＯＢ（Ｃｈｉｐ  Ｏｎ  Ｂｏａｒｄ）構造となる。例えば、基板１１ｂの長手方向に沿って複数のＬＥＤチップが実装される。この場合、白色光を放出するＣＯＢ構造のＬＥＤモジュールとするには、例えば、ＬＥＤ光源１１ａとして青色ＬＥＤチップを用いて、複数の青色ＬＥＤチップを、黄色蛍光体が含有されたシリコーン樹脂からなる封止部材によって一括して封止又は個々に封止すればよい。
【０１２０】
また、上記実施の形態において、ＬＥＤモジュール１１は、青色ＬＥＤチップと黄色蛍光体とによって白色光を放出するＢ−ＹタイプのＬＥＤモジュールとしたが、これに限らない。例えば、ＬＥＤモジュール１１は、青色ＬＥＤチップと、赤色蛍光体及び緑色蛍光体とを用いて白色光を放出するように構成してもよい。また、ＬＥＤモジュール１１は、青色光、赤色光及び緑色光を発するＬＥＤチップを用いて白色光を放出するように構成してもよい。
【０１２１】
また、上記実施の形態において、ＬＥＤモジュール１１の出射光は一定の色温度の白色光であったが、これに限らない。例えば、異なる発光色を出射する複数の発光素子を用いて、光源部１０（ＬＥＤモジュール１１）から異なる発光色が出射するように構成してもよい。この場合、異なる光色の組み合わせとしては、色温度の異なる白色光の組み合わせ、赤色と青色等のように中心波長が異なる有色光の組み合わせ、又は、白色光と有色光との組み合わせ等とすることができる。これにより、調光及び調色を行うことで、種々の照明演出を行うことができる。
【０１２２】
また、上記の実施の形態では、光源部１０の発光素子としては、ＬＥＤチップを用いたが、これに限らない。例えば、光源部１０の発光素子としては、半導体レーザなどの半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１２３】
また、上記実施の形態において、照明装置は、アンビエント照明としたが、これに限るものではなく、タスク照明であってもよい。あるいは、照明装置は、常夜灯や間接照明等であってもよい。
【０１２４】
その他、上記実施の形態及び変形例に対して当業者が思いつく各種変形を施して得られる形態、又は、本発明の趣旨を逸脱しない範囲で上記実施の形態及び変形例における構成要素及び機能を任意に組み合わせることで実現される形態も本発明に含まれる。
【符号の説明】
【０１２５】
１、１Ａ、１Ｂ  照明装置
２、２Ａ  取付部材
２ａ、２ａＡ  接続孔
３  天井
１０  光源部
２０、２０Ａ  取付部
２０ａ、２０ａＡ  接続片
１００、１００Ａ  光源ユニット
２００、２００Ｂ  パネル
３００、２０１、２０２  保持部材
【図１Ａ】
0006548153.tif 000002
【図１Ｂ】
0006548153.tif 000003
【図２】
0006548153.tif 000004
【図３】
0006548153.tif 000005
【図４Ａ】
0006548153.tif 000006
【図４Ｂ】
0006548153.tif 000007
【図５】
0006548153.tif 000008
【図６】
0006548153.tif 000009
【図７】
0006548153.tif 000010
【図８】
0006548153.tif 000011
【図９】
0006548153.tif 000012
【図１０Ａ】
0006548153.tif 000013
【図１０Ｂ】
0006548153.tif 000014
【図１０Ｃ】
0006548153.tif 000015
【図１１】
0006548153.tif 000016
【図１２】
0006548153.tif 000017
【図１３】
0006548153.tif 000018
【図１４】
0006548153.tif 000019